(57)【要約】【課題】円柱形状の外観を備えるとともに、遺骨の収集時に高温の骨を収納した場合でも、燃えることがない木製の骨壷を提案すること。【解決手段】骨壷１は木製の壷本体２と木製の蓋３とを有している。壷本体２は帯状の板材を円環状に曲げ加工することにより形成されている本体側内筒６と帯状の板材を円環状に曲げ加工することにより形成されており本体側内筒６の外周に接着されている本体側外筒７とからなる本体側円筒胴部４を備えている。本体側円筒胴部４を本体側内筒６と本体側外筒７とからなる２層構造にしたので、本体側円筒胴部４の剛性が高い。従って、本体側円筒胴部４は均整の取れた円環状の形状を維持できる。また、遺骨を収納した場合でも、本体側円筒胴部４が変形してしまうことがない。さらに、壷本体２の内面には、耐火煉瓦を砕いた煉瓦粉８が耐熱性接着剤９により層状に接着されているので、耐熱性がある。【選択図】図３
0003147165.tif 000002
【実用新案登録請求の範囲】
【請求項１】
木製の壷本体と、
前記壷本体に被せられている木製の蓋とを有し、
前記壷本体は、帯状の板材を円環状に曲げ加工することにより形成されている本体側内筒と、帯状の板材を円環状に曲げ加工することにより形成されており前記本体側内筒と同心で当該本体側内筒の外周に接着されている本体側外筒とからなる本体側円筒胴部を備えており、
前記壷本体の内面には、耐火煉瓦を砕いた煉瓦粉が耐熱性接着剤により層状に接着されていることを特徴とする骨壷。
【請求項２】
請求項１に記載の骨壷において、
前記蓋は、帯状の板材を円環状に曲げ加工することにより形成されている蓋側内筒と、帯状の板材を円環状に曲げ加工することにより形成されており前記蓋側内筒と同心で当該蓋側内筒の外周に接着されている蓋側外筒とを備える蓋側円筒胴部を備えており、
前記蓋側円筒胴部は、前記本体側円筒胴部と同一の内径および外径を備えており、
前記蓋側円筒胴部の内周には、帯状の板材を円環状に曲げ加工することにより形成されている筒体が前記蓋側円筒胴部と同心で当該蓋側円筒胴部の下端から下方に突出する円環状突出部分を備えるように接着されており、
前記筒体の円環状突出部分は、前記蓋が前記壷本体に被せられている状態では、前記本体側円筒胴部の上端部分の内周に嵌合しており、
前記蓋の内面には、耐火煉瓦を砕いた煉瓦粉が耐熱性接着剤により層状に接着されていることを特徴とする骨壷。
【請求項３】
請求項２に記載の骨壷において、
前記本体側円筒胴部および前記蓋側円筒胴部は、檜の板材から形成されていることを特徴とする骨壷。
【請求項４】
請求項１ないし３のうちのいずれかの項に記載の骨壷において、
前記壷本体の内面には、耐熱性接着剤を塗布することにより形成された接着剤層と、前記接着剤層の表面に耐火煉瓦を砕いた煉瓦粉が付着することにより形成された煉瓦粉層が交互に複数形成されていることを特徴とする骨壷。
【考案の詳細な説明】
【技術分野】
【０００１】
本考案は、円柱形状の外観を備えており、遺骨の収集時に高温の骨を収納した場合でも燃えることがない木製の骨壷に関する。
【背景技術】
【０００２】
一般的に用いられている陶器の骨壷は重く破損し易いので、取り扱いに注意が必要である。また、年月が経過した後に骨壷を処分する際には、破砕後に廃棄しなければならないので、その処理が大変である。さらに、結露による水滴が骨壷内に溜まり易いので、収納した遺骨が骨壷内の水に溶け出してしまうという問題もある。
【０００３】
これらの弊害を回避するものとして、特許文献１、２、３には、木製の骨壷が提案されている。引用文献１、２に記載されている骨壷は、上下方向に細長い木片を周方向に並べて接着して骨壷の胴部を形成しており、多角柱形状の外観を備えている。引用文献３に記載されている骨壷は、骨壷の胴部を材木から削り出しており、円柱形状の外観を備えている。
【０００４】
木製の骨壷は、軽くて割れないので取り扱いが便利であり、処分の際には土中に埋めて自然に還したり、焼却したりできる。また、木製の骨壷は吸湿性があるので、骨壷内に水滴が溜まることがなく、収納した遺骨が骨壷内の水に溶け出してしまうこともない。また、特許文献２に記載されている骨壷は、骨壷の内周面と内底面に、砂粒状の石材を耐熱性の接着剤で層状に付着させているので、遺骨の収集時に高温の骨を収納しても、骨壷の胴部の内面が焦げたり燃えたりしないようになっている。
【特許文献１】実用新案登録第３１３８４４８号公報
【特許文献２】特開２００２−２９１８２０号公報
【特許文献３】特開２００７−６８５４８号公報
【考案の開示】
【考案が解決しようとする課題】
【０００５】
ここで、陶器の骨壷は一般的に円柱形状の外観を備えているので、陶器の骨壷の代わりに多角柱形状の外観をした木製の骨壷を用いると、遺族が違和感を持つことがある。しかし、骨壷の外観を円柱形状にするために骨壷を材木から削り出すのでは、骨壷の製造コストが嵩んでしまうという問題がある。
【０００６】
本考案の課題は、このような点に鑑みて、円柱形状の外観を備えるとともに、遺骨の収集時に高温の骨を収納した場合でも、燃えることがない木製の骨壷を提案することにある。
【課題を解決するための手段】
【０００７】
上記の課題を解決するために、本考案の骨壷は、
木製の壷本体と、
前記壷本体に被せられている木製の蓋とを有し、
前記壷本体は、帯状の板材を円環状に曲げ加工することにより形成されている本体側内筒と、帯状の板材を円環状に曲げ加工することにより形成されており前記本体側内筒と同心で当該本体側内筒の外周に接着されている本体側外筒とからなる本体側円筒胴部を備えており、
前記壷本体の内面には、耐火煉瓦を砕いた煉瓦粉が耐熱性接着剤により層状に接着されていることを特徴とする。
【０００８】
本考案によれば、骨壷の壷本体が円環状の本体側円筒胴部を備えているので、骨壷の外観は陶器の骨壷と同様に円柱形状になる。従って、陶器の骨壷の代わりに木製の骨壷を用いても、遺族が違和感を持つことがない。また、本体側円筒胴部は、帯状の板材を円環状に曲げ加工することにより形成されているので、壷本体を材木から削り出す必要がなく、骨壷の製造コストを低減させることができる。
【０００９】
ここで、帯状の板材を円環状に曲げ加工することにより筒状の部材を形成する場合には、板材の厚さを７ｍｍ以下の薄いものにしなければ加工の作業性が悪化してしまう。しかし、板材を薄くすると筒状の部材の剛性が低く、変形し易いので、均整の取れた円環状の形状を維持することが難しくなるという問題がある。これに対して本考案は、帯状の板材を円環状に曲げ加工することにより本体側内筒と本体側外筒を作成し、本体側外筒を本体側内筒と同心で当該本体側内筒の外周に接着して本体側円筒胴部を形成している。すなわち、本体側円筒胴部を本体側内筒と本体側外筒からなる２層構造にしたので、本体側円筒胴部の剛性が高い。この結果、本体側円筒胴部は均整の取れた円環状の形状を維持することができる。また、遺骨を収納した場合でも、本体側円筒胴部が変形してしまうことがない。
【００１０】
さらに、本考案によれば、壷本体の内面には、耐火煉瓦を砕いた煉瓦粉が耐熱性接着剤により層状に接着されている。従って、遺骨の収集時に高温の骨を収納しても、骨壷の内面が焦げたり燃えたりしない。
【００１１】
本考案において、前記蓋は、帯状の板材を円環状に曲げ加工することにより形成されている蓋側内筒と、帯状の板材を円環状に曲げ加工することにより形成されており前記蓋側内筒と同心で当該蓋側内筒の外周に接着されている蓋側外筒とを備える蓋側円筒胴部を備えており、前記蓋側円筒胴部は、前記本体側円筒胴部と同一の内径および外径を備えており、前記蓋側円筒胴部の内周には、帯状の板材を円環状に曲げ加工することにより形成されている筒体が前記蓋側円筒胴部と同心で当該蓋側円筒胴部の下端から下方に突出する円環状突出部分を備えるように接着されており、前記筒体の円環状突出部分は、前記蓋が前記壷本体に被せられている状態では、前記本体側円筒胴部の上端部分の内周に嵌合しており、前記蓋の内面には、耐火煉瓦を砕いた煉瓦粉が耐熱性接着剤により層状に接着されていることが望ましい。
【００１２】
本考案によれば、蓋は蓋側円筒胴部を備えている。従って、遺骨を壷本体に収納したときに、遺骨の一部が壷本体から迫り出している場合でも、迫り出した部分を蓋側円筒胴部部分の内側に収納できる。また、蓋側円筒胴部は、本体側円筒胴部と同様に、帯状の板材を円環状に曲げ加工することにより作成した蓋側内筒と蓋側外筒とを貼り合わせた２層構造になっているので、剛性が高く、均整の取れた円環状の形状を維持することができる。また、遺骨を収納した場合でも、蓋側円筒胴部の形状が変形してしまうことがない。さらに、蓋側円筒胴部は、本体側円筒胴部と同一の外径を備えているので、蓋を壷本体に被せた状態でも骨壷の外観は円柱形状になり、蓋と壷本体との間に段差が生じることがない。従って、骨壷の美感が向上する。
【００１３】
また、本考案によれば、蓋は、蓋側円筒胴部の下端から突出して本体側円筒胴部の内周と嵌合する円環状突出部分を備えている。この結果、蓋が壷本体から外れたり、ずれたりすることがないので、遺骨を安心して収納できる。ここで、蓋側円筒胴部は本体側円筒胴部と同一の内径を備えているので、帯状の板材を円環状に曲げ加工することにより形成されている筒体を、蓋側円筒胴部と同心でこの蓋側円筒胴部の下端から下方に突出する円環状突出部分を備えるように接着すれば、円環状突出部分は本体側円筒胴部の上端部分の内周に嵌合するようになる。従って、本体側円筒胴部と嵌り合う円環状突出部分を簡易に設けることができる。
【００１４】
さらに、本考案によれば、蓋の内面には、耐火煉瓦を砕いた煉瓦粉が耐熱性接着剤により層状に接着されている。従って、遺骨の収集時に高温の骨を収納しても、骨壷の内面が焦げたり燃えたりしない。
【００１５】
本考案において、美感を向上させるためには、前記本体側円筒胴部および蓋側円筒胴部は、檜の板材から形成されていることが望ましい。
【００１６】
本考案において、骨壷の耐熱性を向上させるためには、前記壷本体の内面には、耐熱性接着剤を塗布することにより形成された接着剤層と、前記接着剤層の表面に耐火煉瓦を砕いた煉瓦粉が付着することにより形成された煉瓦粉層が交互に複数形成されていることが望ましい。
【考案の効果】
【００１７】
本考案によれば、骨壷の外観は陶器の骨壷と同様に円柱形状になる。従って、陶器の骨壷の代わりに木製の骨壷を用いても、遺族が違和感を持つことがない。また、本考案の骨壷は帯状の板材を円環状に曲げ加工することにより本体側円筒胴部を形成しており、壷の胴部を材木から削り出していないので、骨壷の製造コストを低減させることができる。さらに、本体側円筒胴部を本体側内筒と本体側外筒からなる２層構造にしたので、本体側円筒胴部の剛性が高い。この結果、本体側円筒胴部は均整の取れた円環状の形状を維持することができる。また、遺骨を収納した場合でも、本体側円筒胴部が変形してしまうことがない。さらに、壷本体の内面には、耐火煉瓦を砕いた煉瓦粉が耐熱性接着剤により層状に接着されている。従って、遺骨の収集時に高温の骨を収納しても、骨壷の内面が焦げたり燃えたりしない。
【考案を実施するための最良の形態】
【００１８】
以下に、図面を参照して本考案を適用した骨壷の実施の形態を説明する。
【００１９】
図１は骨壷の外観斜視図であり、図１（ａ）は壷本体に蓋を被せた状態であり、図１（ｂ）は蓋を開けた状態を示している。図２は骨壷の分解斜視図である。図３は骨壷の縦断面図である。なお、図２にある一点鎖線は骨壷１の中心軸線を示している。
【００２０】
本考案の骨壷１は木製の壷本体２とこの壷本体２に被せられている木製の蓋３を有している。図１（ａ）に示すように、骨壷１は全体として円柱形状の外観を備えている。
【００２１】
壷本体２は本体側円筒胴部４とこの本体側円筒胴部４の下端開口を封鎖している円形の底板５を備えている。本体側円筒胴部４は、図１（ｂ）に示すように、本体側内筒６と本体側外筒７とから形成されており、本体側外筒７は本体側内筒６と同心でこの本体側内筒６の外周に接着されている。壷本体２の内面には、耐火煉瓦を砕いた煉瓦粉８が耐熱性接着剤９により層状に接着されている。
【００２２】
図２、３に示すように、本体側内筒６は同一の内径および外径を備えている３個の筒状の部材６１、６２、６３を上下方向に接着することにより形成されている。本体側外筒７は同一の内径および外径を備えている２個の筒状の部材７１、７２を上下方向に接着することにより形成されている。各部材６１〜６３、７１、７２は厚さ５ｍｍの帯状の板材を円環状に曲げ加工することにより形成したものである。底板５は、その外周面が本体側円筒胴部４の下端部分の内周面に接着されている。より詳細には、底板５の外周面は、本体側内筒６を構成する最も下の筒状の部材６３の下端部分の内周面６３ａに接着されている。
【００２３】
蓋３は、図１（ａ）に示すように、蓋側円筒胴部１０とこの蓋側円筒胴部１０の上端開口を封鎖している円形の天板１１を備えている。蓋側円筒胴部１０は本体側円筒胴部４と同一の内径および外径を備えている。蓋側円筒胴部１０の内周側の下端には、図１（ｂ）に示すように、下方に向かって突出する円環状突出部分１０ａが設けられている。円環状突出部分１０ａは、蓋３が壷本体２に被せられた状態では、本体側円筒胴部４の上端部分の内周に嵌合する。
【００２４】
図２、３に示すように、蓋側円筒胴部１０は、蓋側内筒１２と蓋側外筒１３とから形成されている。蓋側外筒１３は蓋側内筒１２と同心でこの蓋側内筒１２の外周に接着されている。蓋側内筒１２と蓋側外筒１３は、いずれも厚さ５ｍｍの帯状の板材を円環状に曲げ加工することにより形成されている。
【００２５】
ここで、蓋側内筒１２は、その高さ寸法が天板１１の厚さ寸法分だけ蓋側外筒１３の高さ寸法よりも短く形成されている。また、蓋側内筒１２の下端面１２ａと蓋側外筒１３の下端面１３ａとを一致させるように接着されているので、蓋側円筒胴部１０の上端部分には、蓋側外筒１３の内周面１３ｂと蓋側内筒１２の上端面１２ｂとからなる段部１０ｂが形成されている。
【００２６】
段部１０ｂには、天板１１が取付けられている。天板１１は、その外周面が蓋側外筒１３の上端部分の内周面１３ｂに接着され、その下面の外周縁部分が蓋側内筒１２の上端面１２ｂに接着されている。なお、天板１１は平板であるが、天板１１を上方に向かって突出するドーム形状にすれば、異なる美感を得ることができる。
【００２７】
蓋側円筒胴部１０の内周には、筒体１４が、蓋側円筒胴部１０と同心で接着されている。筒体１４は厚さ５ｍｍの帯状の板材を円環状に曲げ加工して形成したものである。筒体１４は、その上端面１４ａが天板１１に当接するようにして取付けられているが、その高さ寸法が蓋側円筒胴部１０の高さ寸法よりも長いので、下端部分が蓋側円筒胴部１０の下端から下方に突出している。すなわち筒体１４の下端部分は、蓋側円筒胴部１０の下端から下方に突出して、本体側円筒胴部４の上端部分の内周に嵌合する円環状突出部分１０ａになっている。
【００２８】
蓋３の内面には、壷本体２の内面と同様に、耐火煉瓦を砕いた煉瓦粉８が耐熱性接着剤９により層状に接着されている。
【００２９】
ここで、壷本体２および蓋３の内面に煉瓦粉８を層状に接着するためには、まず、壷本体２および蓋３の内面に耐熱性接着剤９を均一に塗布して接着剤層を形成する。次に、壷本体２に煉瓦粉８を投入して壷本体２に蓋３を被せる。しかる後に、壷本体２および蓋３を中心軸周りに回転させたり、上下に反転させたりして、接着剤層の表面に煉瓦粉８を付着させて層状にする。
【００３０】
また、耐熱性接着剤９を塗布して形成する接着剤層と煉瓦粉８を層状にした煉瓦粉層とを交互に複数形成すれば、骨壷１の内面の耐熱性が向上する。
【００３１】
なお、本体側円筒胴部４、蓋側円筒胴部１０および筒体１４を形成するために用いられる各帯状の板材は、円環状にしたときの一方の端の内周側が端に向かって薄くなるように加工されており、他方の端の外周側が端に向かって薄くなるように形成されている。従って、円環状に曲げた板材の両端部分を重ね合わせて接着すると、形成される筒状の部材の厚さは均一になる。
【００３２】
また、各帯状の板材としては、例えば、檜の板材を用いることができる。底板、天板としては、例えば、椹の板材を用いることができる。
【図面の簡単な説明】
【００３３】
【図１】本考案の骨壷の外観斜視図であり、（ａ）は壷本体に蓋を被せた状態であり、（ｂ）は蓋を開けた状態を示している。
【図２】骨壷の分解斜視図である。
【図３】骨壷の縦断面図である。
【符号の説明】
【００３４】
１・骨壷
２・壷本体
３・蓋
４・本体側円筒胴部
５・底板
６・本体側内筒
７・本体側外筒
８・煉瓦粉
９・耐熱性接着剤
１０・蓋側円筒胴部
１１・天板
１２・蓋側内筒
１３・蓋側外筒
１４・筒体
６１〜６３、７１、７２・筒状の部材
【図１】
0003147165.tif 000003
【図２】
0003147165.tif 000004
【図３】
0003147165.tif 000005